(57)【要約】【課題】電線保持部の先端及び接点部の間で弾性保持されている電線の導電不良や脱落を長期に渡って防止する電気機器の接続構造を提供する。【解決手段】電線挿入空間１０ａ、電線挿入空間に電線Ｗ１を挿入する電線挿入口１２ａを設けたケース５と、電線挿入空間の電線が挿入される方向に沿って配置された接点部１５ｄを有する固定接触子１５と、電線を弾性力で接点部に押し付ける弾性部材２１とを備えている。弾性部材は、固定接触子に固定される平板状の固定部２２と、固定部から連続して形成された円弧形状の曲げ部２５ａ，２５ｂと、曲げ部から連続して形成された平板状の電線保持部２６ａ，２６ｂと、電線保持部の長手方向の先端に接触して接点部に押し付けられている電線Ｗ１を先端の幅方向の中央位置にセンタリングするセンタリング部２７とを備えている。【選択図】図５
2019197644.tif 000002
【特許請求の範囲】
【請求項１】
内部に電線挿入空間を設け、外部から前記電線挿入空間に電線を挿入する電線挿入口を設けたケースと、
前記電線挿入空間の前記電線が挿入される方向に沿って配置された接点部に前記電線が電気的に接続される固定接触子と、
前記電線挿入空間に配置され、前記電線挿入口から挿入された前記電線を弾性力で前記接点部に押し付ける弾性部材と、を備え、
前記弾性部材は、
前記固定接触子に固定される平板状の固定部と、
前記固定部から連続して形成された円弧形状の曲げ部と、
前記曲げ部から連続して形成された平板状の電線保持部と、
前記電線保持部の長手方向の先端に接触して前記接点部に押し付けられている前記電線を前記先端の幅方向の中央位置にセンタリングするセンタリング部と、を備えていることを特徴とする電気機器の接続構造。
【請求項２】
前記センタリング部は、前記電線保持部の前記先端が、幅方向中央が最も凹むように所定半径Ｒの円弧形状に切り欠いて形成されていることを特徴とする請求項１記載の電気機器の接続構造。
【請求項３】
前記センタリング部は、前記電線保持部の前記先端が、幅方向中央が最も凹むようにＶ字状に切り欠いて形成されていることを特徴とする請求項１記載の電気機器の接続構造。
【請求項４】
内部に電線挿入空間を設け、外部から前記電線挿入空間に電線を挿入する電線挿入口を設けたケースと、
前記電線挿入空間の前記電線が挿入される方向に沿って配置された接点部に前記電線が電気的に接続される固定接触子と、
前記電線挿入空間に配置され、前記電線挿入口から挿入された前記電線を弾性力で前記接点部に押し付ける弾性部材と、を備え、
前記弾性部材は、
前記固定接触子に固定される平板形状の固定部と、
前記固定部から連続して形成され、長手方向にスリットを設けて互いに平行に延在している一対の円弧形状の曲げ部と、
前記スリットが連続することで前記一対の曲げ部から連続して互いに平行に延在し、長手方向の先端で前記電線を保持する一対の電線保持部と、を備え、
前記ケースは、前記一対の電線保持部の間の前記スリットに向けて突出し、前記一対の電線保持部の前記スリット側の幅方向の内側面に沿って配置した電線脱落防止壁が設けられていることを特徴とする電気機器の接続構造。
【発明の詳細な説明】
【技術分野】
【０００１】
本発明は、電線を弾性保持する電磁接触器などの電気機器の接続構造に関する。
【背景技術】
【０００２】
近年、電磁接触器などの電気機器では、電線を弾性保持する弾性部材を備えたスプリング端子が採用されてきている（例えば、特許文献１）。
特許文献１のスプリング端子は、電気機器のケース内に設けた電線挿入空間と、この電線挿入空間に連通するケースに設けた電線挿入口と、ケース内に配置され、電線挿入口から電線挿入空間に挿通された電線が電気的に接続される接点部を有する固定接触子と、電線挿入空間に配置され、電線挿入口から挿通された電線を弾性力で接点部側に押し付ける弾性部材と、を備えている。
【０００３】
弾性部材は、金属板を曲げて形成した部材であり、平板状の固定部と、固定部の端部から円弧状に折り曲げた曲げ部を介して形成された平板状の電線保持部とで構成されている。
この弾性部材は、ケース内に固定部を固定し、電線保持部が、ケース内の電線挿入口の開口部近くを横切り、その先端が固定接触子の接点部に対向するように配置される。
そして、電線挿入口から挿入された電線が、固定接触子の接点部と弾性部材の電線保持部との間に入りこむと、曲げ部の弾性変形による弾性力によって、電線保持部の先端が電線を接点部側に押し付けて弾性保持する。
【先行技術文献】
【特許文献】
【０００４】
【特許文献１】特許第５５３９８０９号公報
【発明の概要】
【発明が解決しようとする課題】
【０００５】
特許文献１のスプリング端子を構成している弾性部材は、電線に接触する電線保持部の先端が平坦面として形成されている。
ところで、電線保持部の先端及び接点部の間で弾性保持されている電線は、電線保持部の先端が平坦面なので、長期使用、或いは電線の振動発生によって電線保持部の幅方向端部に徐々に移動していき、導電不良や電線が脱落するおそれがある。
そこで、本発明は、電線保持部の先端及び接点部の間で弾性保持されている電線の導電不良や脱落を長期に渡って防止することができる電気機器の接続構造を提供することを目的としている。
【課題を解決するための手段】
【０００６】
上記目的を達成するために、本発明の一態様に係る電気機器の接続構造は、内部に電線挿入空間を設け、外部から電線挿入空間に電線を挿入する電線挿入口を設けたケースと、電線挿入空間の電線が挿入される方向に沿って配置された接点部に電線が電気的に接続される固定接触子と、電線挿入空間に配置され、電線挿入口から挿入された電線を弾性力で接点部に押し付ける弾性部材と、を備え、弾性部材は、固定接触子に固定される平板状の固定部と、固定部から連続して形成された円弧形状の曲げ部と、曲げ部から連続して形成された平板状の電線保持部と、電線保持部の長手方向の先端に接触して接点部に押し付けられている電線を先端の幅方向の中央位置にセンタリングするセンタリング部と、を備えている。
【発明の効果】
【０００７】
本発明に係る電気機器の接続構造によれば、電線保持部の先端及び接点部の間で弾性保持されている電線の導電不良や脱落を長期に渡って防止することができる。
【図面の簡単な説明】
【０００８】
【図１】本発明に係る第１実施形態の電磁接触器を示す斜視図である。
【図２】第１実施形態の電磁接触器を示す平面図である。
【図３】第１実施形態の電磁接触器のケース蓋体を外した平面図である。
【図４】図２のII−II線矢視図である。
【図５】第１実施形態の電線挿入空間に配置されているスプリング端子を示す図である。
【図６】第１実施形態のスプリング端子を構成する弾性部材を示す図である。
【図７】第１実施形態の弾性部材を構成する分割電線保持部が電線を接点部に押し付けて弾性保持している状態を示す図である。
【図８】本発明に係る第２実施形態の分割電線保持部が電線を接点部に押し付けて弾性保持している状態を示す図である。
【図９】本発明に係る第３実施形態の一対の分割電線保持部の間に電線脱落防止壁が入り込んでいる平面図である。
【図１０】本発明に係る第３実施形態の一対の分割電線保持部の間に電線脱落防止壁が入り込んでいる状態を斜視図で示した図である。
【発明を実施するための形態】
【０００９】
次に、図面を参照して、本発明の第１から第３実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１０】
また、以下に示す第１から第３実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
なお、図１〜図５及び図９において符号Ｘを第１方向とし、符号Ｙを第１方向Ｘに直交する第２方向とし、符号Ｚを、第１方向Ｘ及び第２方向Ｙを含む仮想平面に直交する第３方向としている。
【００１１】
［第１実施形態］
図1から図７は、一方側の電源と他方側の負荷との間の電流路の開閉を行う本発明に係る第１実施形態の電磁接触器１を示すものである。
電磁接触器１は、ケース２（図１参照）と、ケース２に収納されている接点機構３（図３参照）と、ケース２に収納されて接点機構３を駆動する電磁石ユニット４（図４参照）とを備えている。
ケース２は、図１及び図４に示すように、第３方向Ｚの一方に開口部が形成されている有底直方体形状のケース本体５と、開口部を覆いながらケース本体５に着脱自在に装着されているケース蓋体６とを備えている。
【００１２】
ケース本体５には、図４に示すように、中央部に接点機構３を収容する接点機構収容部７と、電磁石ユニット収容部８が形成されており、接点機構収容部７には接点機構３が収容され、電磁石ユニット収容部８には電磁石ユニット４が収容されている。
ケース本体５の接点機構収容部７を挟んで第１方向Ｘの両側（図３参照）と、ケース本体５の上部開口を覆うケース蓋体６とで、複数対の電線挿入空間１０ａ〜１０ｅが形成されているとともに、隣接する電線挿入空間１０ａ〜１０ｅの間には隔壁１１が設けられている。
【００１３】
また、図４に示すように、ケース蓋体６の正面板６ａには、一対の電線挿入空間１０ａに向けて連通する一対の電線挿入口１２ａが設けられている。
一対の電線挿入口１２ａには、図２に示すように、電線挿入空間１０ａに対して２個の電線挿入口１２ａ１，１２ａ２が設けられている。
また、ケース蓋体６の正面板６ａには、一対の電線挿入口１２ａに対して第２方向Ｙに並んで複数対の電線挿入口１２ｂ〜１２ｅが形成されており、これら複数対の電線挿入口１２ｂ〜１２ｅは、ケース蓋体６の外部と一対の電線挿入空間１０ｂ〜１０ｅとを連通している。これら複数対の電線挿入口１２ｂ〜１２ｅも、電線挿入空間１０ｂ〜１０ｅに対してそれぞれ２個の電線挿入口が設けられている。
【００１４】
第１実施形態の電磁接触器では、これら複数対の電線挿入口１２ａ〜１２ｅは、６対の電線挿入口１２ａ〜１２ｃが主回路端子用として使用され、一対の電線挿入口１２ｄが補助端子用として使用され、一対の電線挿入口１２ｅが電磁石ユニット４のコイル端子用として使用される。
また、図１、図２及び図４に示すように、ケース蓋体６の正面板６ａには、複数対の電線挿入口１２ｂ〜１２ｅの近くに、クランプ解除工具を挿通する挿通孔１３が電線挿入空間１０ａ〜１０ｅに連通して形成されている。この挿通孔１３は、複数対の電線挿入口１２ａ〜１２ｅの２個の電線挿入口に対応して形成されている。
【００１５】
一方、接点機構３は、図３に示すように、第１方向Ｘに離れてケース本体５に固定された複数対の固定接触子１５と、各対の固定接触子１５に接離可能な複数の可動接触子１６とを備えている。
複数の可動接触子１６は、第２方向Ｙに細長く延びる可動接触子支持部材１７に第１方向Ｘに沿って所定間隔で固定されている。可動接触子支持部材１７は、電磁石ユニット４のコイルが励磁されると、図示しない駆動レバーを介して図３の下方向に移動し、可動接触子支持部材１７に固定された複数の可動接触子１６の各々が各対の固定接触子１５に接触する。これにより、第１方向Ｘの一方の固定接触子１５と、第１方向Ｘの他方の固定接触子１５とが可動接触子１６を介して導通し、電流路を閉じることになる。
【００１６】
一方、電磁石ユニット４のコイルが非励磁状態になると、可動接触子支持部材１７は、図示しない復帰スプリングの作用により、図３の上方向に移動し、可動接触子支持部材１７に固定された複数の可動接触子１６の各々が各対の固定接触子１５から離れる。これにより、第１方向Ｘの一方の固定接触子１５と、第１方向Ｘの他方の固定接触子１５とが遮断される。
図４に示すように、ケース本体５に設けた一対の電線挿入空間１０ａには、後述する電線Ｗを固定接触子１５に接続するスプリング端子２０が配置されている。
【００１７】
他の複数対の電線挿入空間１０ｂ〜１０ｅにも、図４の一対の電線挿入空間１０ａに配置した電線Ｗを固定接触子１５に接続するスプリング端子２０と同一構成のスプリング端子２０が配置されている。
電線Ｗは、図５に示すように、多数の金属線材からなる断面円形の芯線Ｗ１と、芯線Ｗ１の外周を被覆する絶縁被覆Ｗ２とを備えている。電線Ｗを固定接触子１５に接続する際には、絶縁被覆Ｗ２の先端部分が除去され、芯線Ｗ１が所定部分だけ露出する。
【００１８】
固定接触子１５の構造について、図３及び図５を参照して説明する。
固定接触子１５は、可動接触子１６が接触する平板状の固定接点部１５ａと、第３方向Ｚに延在する方向に折り曲げられた平板状の基板部１５ｂと、基板部１５ｂから第１方向Ｘに延在する方向に折り曲げられた平板状の座板部１５ｃと、座板部１５ｃから基板１５ｂと平行に第３方向Ｚに延在する方向に折り曲げられた平板状の接点部１５ｄとを備えている。この固定接触子１５は、金属板を打抜き及び曲げ加工することによって形成される。
【００１９】
電線挿入空間１０ａに設けられる固定接触子１５は、図３に示すように、固定接点部１５ａが接点機構収容部７内に位置し、基板部１５ｂ、座板部１５ｃ及び接点部１５ｄが電線挿入空間１０ａを形成しているケース本体５の内壁に沿った状態でケース本体５に固定される。
他の複数対の電線挿入空間１０ｂ〜１０ｅに設けられる固定接触子１５も、固定接点部１５ａが接点機構収容部７内に位置し、基板部１５ｂ、座板部１５ｃ及び接点部１５ｄが電線挿入空間１０ｂ〜１０ｅ内に位置するように、ケース本体５に固定される。
【００２０】
図５に示すように、固定接触子１５の基板部１５ｂの内壁には係合爪１８が突出して形成されている。
固定接触子１５の基板部１５ｂに寄った位置の座板部１５ｃには嵌入孔１９が形成されている。
ここで、前述したスプリング端子２０は、図５に示すように、弾性部材２１と、固定接触子１５の接点部１５ｄとで構成されている。
【００２１】
弾性部材２１は、図６に示すように、長尺な金属平板を材料とした部材であり、平板状の固定部２２と、固定部２２の長手方向端部との間に鈍角形状の第１曲げ部２３を設けて連続する平板状の傾斜部２４と、傾斜部２４との間に円弧形状の第２曲げ部２５を設けて傾斜部２４と略同一方向に延在する平板状の電線保持部２６と、を備えている。
この弾性部材２１は、電線保持部２６から第２曲げ部２５までの幅方向中央部にスリットＳＬが形成されており、第２曲げ部２５が分割第２曲げ部２５ａ，２５ｂに２分割され、電線保持部２６も分割電線保持部２６ａ，２６ｂに２分割されている。
【００２２】
ここで、分割電線保持部２６ａ，２６ｂの先端は、幅方向中央が最も凹むように所定半径Ｒの円弧形状に切り欠いたセンタリング部２７が形成されている。
また、弾性部材２１の固定部２２の下端には嵌入凸部２８が形成されているとともに、固定部２２には係合貫通孔２９が形成されている。
そして、図５に示すように、弾性部材２１の固定部２２が、一対の電線挿入空間１０ａの一方に配置された固定接触子１５の基板部１５ｂに沿って配置され、固定部２２の下端の嵌入凸部２８が基板部１５ｂの嵌入孔１９に嵌め込まれるとともに、固定部２２の係合貫通孔２９に基板部１５ｂの係合爪１８が入り込んだ状態で、固定接触子１５に弾性部材２１が連結される。
【００２３】
一対の電線挿入空間１０ａの他方に配置されている固定接触子１５にも、同様の構造で弾性部材２１が連結されるとともに、他の複数対の電線挿入空間１０ｂ〜１０ｅに配置された固定接触子１５にも、同様の構造で弾性部材２１が連結されている。
ケース本体５にケース蓋体６を装着すると、ケース本体５の複数対の電線挿入空間１０ａに配置された弾性部材２１の分割電線保持部２６ａが、図２で示した電線挿入口１２ａを構成している２個の電線挿入口１２ａ１，１２ａ２の一方に対向する位置に配置される。また、弾性部材２１の分割電線保持部２６ｂが、２個の電線挿入口１２ａ１，１２ａ２の他方に対向する位置に配置される。また、他の複数対の電線挿入口１２ｂ〜１２ｅを構成しているそれぞれ２個の電線挿入口にも、分割電線保持部２６ａ，２６ｂが対向する位置に配置されている。
【００２４】
そして、電線挿入口１２ａの一方の電線挿入口１２ａ１から電線挿入空間１０ａ内に挿入された電線Ｗは、図５に示すように、弾性部材２１の分割電線保持部２６ａの先端と、固定接触子１５の接点部１５ｄとの間で芯線Ｗ１が弾性保持される。また、図示しないが、電線挿入口１２ａの他方の電線挿入口１２ａ２から電線挿入空間１０ａ内に挿入される電線Ｗと他の一対の電線挿入口１２ｂ〜１２ｅに挿入される電線Ｗも、弾性部材２１の分割電線保持部２６ａ，２６ｂの先端と、固定接触子１５の接点部１５ｄとの間で芯線Ｗ１が弾性保持される。
【００２５】
なお、本発明に記載されている電線が、芯線Ｗ１に対応している。
ここで、分割電線保持部２６ａの先端と接点部１５ｄとの間で弾性保持される芯線が、図７の符号Ｗ１ａ、Ｗ１ｂで示すように、分割電線保持部２６ａの幅方向の縁に寄った状態で保持された場合の動作について説明する。このように、芯線Ｗ１ａ、Ｗ１ｂが、分割電線保持部２６ａの幅方向の端部側に寄っていても、分割電線保持部２６ａの先端にはセンタリング部２７が形成されており、芯線Ｗ１ａ、Ｗ１ｂは、幅方向中央が最も凹んでいる円弧形状の切り欠きに沿って幅方向中央位置（芯線Ｗ１の位置）まで移動していく。
【００２６】
次に、第１実施形態の電磁接触器１の作用効果について説明する。なお、複数対の電線挿入空間１０ａ〜１０ｂにスプリング端子２０（弾性部材２１及び固定接触子１５の接点部１５ｄ）が配置されているので、以下では一対の電線挿入空間１０ａの一方に配置されているスプリング端子２０の作用効果を説明する。
第１実施形態の電磁接触器１は、分割電線保持部２６ａの先端と接点部１５ｄとの間で弾性保持される芯線が、例えば図７の符号Ｗ１ａ、Ｗ１ｂで示すように、分割電線保持部２６ａの幅方向の縁に寄った状態で保持されたとしても、分割電線保持部２６ａの先端にはセンタリング部２７が形成されており、芯線Ｗ１ａ、Ｗ１ｂは、幅方向中央が最も凹んでいる円弧形状の切り欠きに沿って先端の幅方向中央位置（芯線Ｗ１の位置）まで移動していく。
したがって、第１実施形態の電磁接触器１は、分割電線保持部２６ａにセンタリング部２７を形成したことで、芯線Ｗ１が分割電線保持部２６ａの幅方向の端部側に移動するのを防止することができ、導電不良や電線Ｗが脱落するおそれがない。
【００２７】
［第２実施形態］
次に、図８に示すものは、本発明に係る電磁接触器１の第２実施形態の弾性部材２１の要部を示すものである。第２実施形態の弾性部材２１は、分割電線保持部２６ａの先端に形成したセンタリング部３０の形状が、図６で示した弾性部材２１の分割電線保持部２６ａに形成したセンタリング部２７と異なっている。
すなわち、第２実施形態の分割電線保持部２６ａの先端に形成したセンタリング部３０は、幅方向中央が最も凹むように２つの平坦な傾斜面３０ａ，３０ｂが幅方向中央で交差することでＶ字状に形成されている。また、弾性部材２１の分割電線保持部２６ｂの先端にも、同一形状のセンタリング部３０が形成されている。
【００２８】
そして、電線Ｗの芯線が、図８の符号Ｗ１ａ、Ｗ１ｂで示すように分割電線保持部２６ａの幅方向の端部側に寄っていても、分割電線保持部２６ａの先端にはセンタリング部３０が形成されており、芯線Ｗ１ａは、傾斜面３０ａに沿って幅方向中央位置（芯線Ｗ１の位置）まで移動し、芯線Ｗ１ｂは、傾斜面３０ｂに沿って幅方向中央位置まで移動する。
したがって、分割電線保持部２６ａ，２６ｂの先端にセンタリング部３０を形成したことで、分割電線保持部２６ａ，２６ｂの幅方向の縁に寄っている芯線Ｗ１は、傾斜面３０ａ，３０ｂに沿って幅方向中央位置に移動するので、導電不良や電線Ｗが脱落するおそれ
【００２９】
［第３実施形態］
次に、図９及び図１０は、本発明に係る電磁接触器１の第３実施形態の電線挿入空間１０ａに配置されたスプリング端子２０（弾性部材２１と、固定接触子１５の接点部１５ｄ）を示すものである。なお、この第３実施形態も、一対の電線挿入空間１０ａの他方及び複数対の電線挿入空間１０ｂ〜１０ｅに、同様の構造でスプリング端子２０が配置されているので、第３実施形態の電線挿入空間１０ａに配置されたスプリング端子２０の構成と作用効果のみを説明する。
【００３０】
図９の符号６ｂ〜６ｄは、電線挿入空間１０ａを形成しているケース蓋体６の壁部である。
電線挿入空間１０ａに配置されている弾性部材２１の一対の分割電線保持部２６ａ，２６ｂは、それらの先端が平坦面３１ａ，３１ｂとして形成されており、分割電線保持部２６ａの幅方向の外側面２６ａ１は壁部６ｂに沿って配置され、分割電線保持部２６ｂの幅方向の外側面２６ｂ１は壁部６ｄに沿って配置されている。
また、図９及び図１０に示すように、ケース蓋体６から電線挿入空間１０ａに向けて電線脱落防止壁３２が突出している。
この電線脱落防止壁３２は、接点部１５ｄに形成した係合溝１５ｄ１に嵌まりながら、弾性部材２１の一対の分割電線保持部２６ａ，２６ｂの間に設けたスリットＳＬに入り込んでいる。
なお、本発明に記載されている一対の曲げ部が、一対の分割第２曲げ部２５ａ，２５ｂに対応し、本発明に記載されている一対の電線保持部が、一対の分割電線保持部２６ａ，２６ｂに対応している。
【００３１】
次に、第３実施形態の作用効果について説明する。
図９に示すように、分割電線保持部２６ｂの先端３１ｂに接触して接点部１５ｄ側に押し付けられている電線Ｗの芯線Ｗ１が矢印方向に移動しても、分割電線保持部２６ｂの幅方向の側面（スリットＳＬ側の側面及び外側面２６ｂ１）には、芯線Ｗ１が抜ける空間が存在しないので、導電不良や電線Ｗが脱落するおそれがない。
また、図示しないが、分割電線保持部２６ａの先端３１ａに接触して接点部１５ｄ側に押し付けられている電線Ｗの芯線Ｗ１が接点部に沿って移動しても、分割電線保持部２６ｂの幅方向の側面（スリットＳＬ側の側面及び外側面２６ａ１）にも芯線Ｗ１が抜ける空間が存在しないので、導電不良や電線Ｗが脱落するおそれがない。
なお、第１から第３実施形態は、電磁接触器１についての接続構造について説明したが、配線用遮断器、電磁開閉器、サーキットプロテクタなどの各種電気機器の接続構造に採用しても同様の効果を奏することができる。
【符号の説明】
【００３２】
１  電磁接触器
２  ケース
３  接点機構
４  電磁石ユニット
５  ケース本体
６  ケース蓋体
６ａ  正面板
７  接点機構収容部
８  電磁石ユニット収容部
１０ａ〜１０ｅ  電線挿入空間
１１  隔壁
１２ａ〜１２ｅ  電線挿入口
１２ａ１，１２ａ２  電線挿入口
１３  挿通孔
１５  固定接触子
１５ａ  固定接点部
１５ｂ  基板部
１５ｃ  座板部
１５ｄ  接点部
１５ｄ１  係合溝
１７  可動接触子支持部材
１８  係合爪
１９  嵌入孔
２０  スプリング端子
２１  弾性部材
２２  固定部
２３  第１曲げ部
２４  傾斜部
２５  第２曲げ部
２６  電線保持部
２５ａ，２５ｂ  分割第２曲げ部
２６ａ，２６ｂ  分割電線保持部
２７  センタリング部
２８  嵌入凸部
２９  係合貫通孔
３０  センタリング部
３０ａ，３０ｂ  傾斜面
３１ａ，３１ｂ  平坦面
３２  電線脱落防止壁
Ｘ  第１方向
Ｙ  第２方向
Ｚ  第３方向
ＳＬ  スリット
Ｗ  電線
Ｗ１  芯線
Ｗ２  絶縁被覆
【図１】
2019197644.tif 000003
【図２】
2019197644.tif 000004
【図３】
2019197644.tif 000005
【図４】
2019197644.tif 000006
【図５】
2019197644.tif 000007
【図６】
2019197644.tif 000008
【図７】
2019197644.tif 000009
【図８】
2019197644.tif 000010
【図９】
2019197644.tif 000011
【図１０】
2019197644.tif 000012